(57)【要約】【課題】紙間調整部による影響がなく、キャッピング動作時のキャリッジの姿勢を安定させ、キャリッジモータにかかる負荷トルクを軽減し、キャリッジモータのコストダウンをし得る記録装置を提供すること。【解決手段】クリーニング機構２０４に進入したキャリッジユニット２０３がブレードホルダ１８およびキャップ１から付勢力を受け、紙間が広くなる方向へ第２ガイドレール２１２をおよそ中心として回動する際、キャリッジユニット２０３に備えられている紙間レバー３３の第３摺動部３３９あるいはキャリッジ６の第３摺動部６９が第１ガイドレール２１１において第１ガイド面２１１ａと表裏一体で構成されている第３ガイド面２１１ｂと摺動するよう構成した記録装置。【選択図】        図１
2006043893.tif 000002
【特許請求の範囲】
【請求項１】
被記録媒体に画像を形成する記録ヘッドと、前記記録ヘッドを搭載し主走査方向に往復移動させるキャリッジと、前記キャリッジを前記主走査方向にガイドする第１のガイド部および第２のガイド部と、前記被記録媒体の厚みに応じて前記キャリッジの姿勢および前記記録ヘッドの吐出口面と前記被記録媒体との距離を変化させる紙間調整部材と、前記紙間調整部材に第１のガイド部と前記キャリッジ主走査方向の記録領域で摺動する第１の摺動部と、
前記キャリッジ主走査方向の非記録領域に前記記録ヘッドの吐出口を保護するキャップと、前記キャップを搭載するキャップホルダと、前記キャップを前記記録ヘッドに対して圧接し得るキャップ付勢部材と、
を有する記録装置において、
前記紙間調整部材の第１の摺動部と前記第１のガイド部を挟んで対向する第３の摺動部を有し、該第３の摺動部と摺動する第３のガイド部を有し、該第３の摺動部は前記紙間調整部材の複数の調整位置に応じた独立した複数の摺動部からなることを特徴とする記録装置。
【請求項２】
前記第３の摺動部のうち、少なくとも一つの摺動部は前記紙間調整部材に設けられ、他の少なくとも一つの摺動部は前記キャリッジに設けられていることを特徴とする請求項１に記載の記録装置。
【請求項３】
前記第３の摺動部が、前記キャップにより前記記録ヘッドを保護するキャッピング動作時に、前記キャップ付勢部材の付勢力に抗して、前記記録ヘッドおよび前記キャリッジを支えることを特徴とする請求項１又は２に記載の記録装置。
【請求項４】
前記キャリッジ主走査方向の前記非記録領域に、前記キャリッジを前記主走査方向にガイドし得る前記第３のガイド部と異なる第４のガイド部を有し、前記キャリッジに前記第４のガイド部と摺動する第３の摺動部と異なる第４の摺動部を有し、該第４の摺動部が、前記キャップにより前記記録ヘッドを保護するキャッピング動作時に、前記キャップ付勢部材の付勢力に抗して、前記記録ヘッドおよび前記キャリッジを支えることを特徴とする請求項１乃至３いずれかに記載の記録装置。
【請求項５】
前記キャップホルダは、記録装置本体側のカム面に沿って移動可能なキャップスライダに保持され、前記キャップスライダは前記キャリッジの主走査方向への移動により、前記記録ヘッドに対し前記キャッピング動作を行うことを特徴とする請求項１乃至４いずれかに記載の記録装置。
【請求項６】
前記録ヘッドの吐出口面を拭掃するワイパーを有するワイピング手段を有し、前記ワイピング手段を前記キャリッジに対して付勢し得るワイピング手段付勢部材を有し、前記ワイピング手段は前記記録ヘッドの吐出口面に対し略垂直方向に揺動可能に前記キャップスライダに保持されていることを特徴とする請求項５に記載の記録装置。
【請求項７】
前記キャリッジの主走査方向の移動による前記キャッピング動作において、前記キャップ付勢部材の前記付勢力、および前記ワイピング手段付勢部材の前記付勢力に抗して前記キャリッジの姿勢を確定する摺動部が、前記第３の摺動部から前記第４の摺動部へと移行することを特徴とする請求項５又は請求項６に記載の記録装置。
【請求項８】
前記キャリッジ主走査方向の前記非記録領域では、前記第１のガイド部が前記紙間調整部材の前記第１の摺動部から離間することを特徴とする請求項１乃至７いずれかに記載の記録装置。
【請求項９】
前記キャリッジ主走査方向の前記非記録領域において、前記第４のガイド部と前記キャリッジの前記第４の摺動部により確定する前記キャリッジの姿勢が、
前記記録領域における前記記録ヘッドの吐出口面と前記被記録媒体との前記距離が最も小さいときの前記キャリッジの姿勢とほぼ同一であることを特徴とする請求項１乃至８いずれかに記載の記録装置。
【請求項１０】
前記第４のガイド部は、前記紙間調整部材により確定する前記キャリッジの姿勢によらず、前記キャリッジ主走査方向の前記非記録領域における前記キャリッジの姿勢が一定となるカム形状を有することを特徴とする請求項１乃至請求項９いずれかに記載の記録装置。
【請求項１１】
前記キャリッジが前記第２のガイド部を中心に回動可能に設けられていることを特徴とする請求項１乃至請求項１０いずれかに記載の記録装置。
【請求項１２】
前記紙間調整部材の前記第１の摺動部は、前記キャリッジおよび前記記録ヘッドの自重によって前記第１のガイド部に当接することを特徴とする請求項１乃至１１いずれかに記載の記録装置。
【請求項１３】
前記第１のガイド部および前記第３のガイド部は、板状のレールの表裏であることを特徴とする請求項１乃至１２いずれかに記載の記録装置。
【請求項１４】
前記第１のガイド部および前記第３のガイド部は、本体シャーシと一体に形成されていることを特徴とする請求項１乃至１３いずれかに記載の記録装置。
【請求項１５】
前記第４のガイド部は、本体シャーシと一体に形成されていることを特徴とする請求項１乃至１４いずれかに記載の記録装置。
【発明の詳細な説明】
【技術分野】
【０００１】
本発明は、記録媒体の搬送方向（副走査方向）と交差する方向に、記録ヘッドを保持するキャリッジが主走査するシリアルタイプの記録装置に関する。
【背景技術】
【０００２】
プリンタ、複写機、ファクシミリ等の機能を有する記録装置、あるいはコンピュータやワードプロセッサ等を含む複合型電子機器やワークステーションの出力機器として用いられる記録装置は、画像情報に基づいて用紙やプラスチック薄板等の被記録材（記録媒体）に画像を記録していくように構成されている。前記記録装置は、記録方式により、インクジェット式、ワイヤドット式、サーマル式、レーザービーム式等に分けることができる。
【０００３】
被記録材の搬送方向（副走査方向）と交差する方向に主走査するシリアルスキャン方式を採るシリアルタイプの記録装置においては、被記録材に沿って移動するキャリッジ上に搭載した記録手段によって画像を記録（主走査）し、１行分の記録を終了した後に所定量の紙送り（ピッチ搬送）を行い、その後に再び停止した被記録材に対して、次の行の画像を記録（主走査）するという動作を繰り返すことにより、被記録材全体への記録が行われる。
【０００４】
従来のシリアルタイプの記録装置としては、記録ヘッドを着脱自在に搭載するキャリッジを、互いに平行に設けられたガイド軸およびガイドレールに摺動自在に取り付けたものがある。キャリッジは、キャリッジモータの出力軸に固着されたプーリと回転自在に軸支されたアイドルプーリとに掛け回されたタイミングベルトの一部位に結合されており、キャリッジモータの正転および逆転によって記録ヘッドは往復走査される。また、キャリッジには、記録ヘッドと被記録材とのギャップを調整するための紙間調整部が設けられている。
【０００５】
この紙間調整部としては、キャリッジ上端部近傍に設けられたものが使用されている。紙間調整部の調整レバーはキャリッジに設けられた穴にピンが挿入されて回転可能に軸支され、紙間距離ポジションに応じた調整レバーの回転中心からの距離が異なる摺動面を有している。また、圧接レバーはキャリッジに設けられたピンを中心に回転可能に軸支され、圧接バネにより調整レバーの摺動面をガイドレールに付勢することで、ガイド軸を中心にキャリッジ上方を手前側に変位させるように回動付勢している。ここで、調整レバーの摺動面を変えることで、キャリッジがガイド軸を中心に回転するので、紙間距離を変えることができる。さらに、キャリッジの往復走査範囲の一端部において、キャリッジに搭載された記録ヘッドに対する回復処理を行うための回復機構が設けられている。回復機構は、記録ヘッド内の増粘インクを除去したり非記録時に記録ヘッドを保護するためのキャップを有しており、圧接レバーがガイドレールを押圧する力を利用して、記録ヘッドがキャップへ当接する際の両者間の当接圧を得ており、またこのとき調整レバーの摺動面がガイドレールと当接しないようにガイドレールの一部が切り欠くことで、回復動作時に調整レバーのポジションに影響を受けない構成をとっている（たとえば、特許文献１参照）。
【特許文献１】特開平１０−３０９８４２号公報（段落、図１１、図１２）
【発明の開示】
【発明が解決しようとする課題】
【０００６】
しかしながら、上記従来の記録装置においては、キャッピング動作時に、キャリッジの一部が記録装置の本体に設けられたカム面の乗り越えるが、このときのキャリッジの挙動が不安定、とりわけガイド軸を中心とした回転方向への姿勢の変化が大きくなっており、キャッピング動作時にキャリッジモータかかる負荷トルクの増大を招いている。また、紙間調整レバーにより変化するキャリッジの姿勢差も、該キャリッジの挙動を変化させ、前記負荷トルクの増大を招く一因となっている。負荷トルクの増大により、キャリッジモータの高トルク化が必要となるため、コストアップ要因となっている。
【０００７】
本発明は上記課題に鑑みてなされたものであり、本発明の目的は、紙間調整部による影響がなく、キャッピング動作時のキャリッジの姿勢を安定させ、キャリッジモータにかかる負荷トルクを軽減し、キャリッジモータのコストダウンをし得る記録装置を提供することである。
【課題を解決するための手段】
【０００８】
本発明は上記課題を解決するために考案された下記の構成を特徴とする記録装置である。
【０００９】
（１）被記録媒体に画像を形成する記録ヘッドと、前記記録ヘッドを搭載し主走査方向に往復移動させるキャリッジと、前記キャリッジを前記主走査方向にガイドする第１のガイド部および第２のガイド部と、前記被記録媒体の厚みに応じて前記キャリッジの姿勢および前記記録ヘッドの吐出口面と前記被記録媒体との距離を変化させる紙間調整部材と、前記紙間調整部材に第１のガイド部と前記キャリッジ主走査方向の記録領域で摺動する第１の摺動部と、
前記キャリッジ主走査方向の非記録領域に前記記録ヘッドの吐出口を保護するキャップと、前記キャップを搭載するキャップホルダと、前記キャップを前記記録ヘッドに対して圧接し得るキャップ付勢部材と、
を有する記録装置において、
前記紙間調整部材の第１の摺動部と前記第１のガイド部を挟んで対向する第３の摺動部を有し、該第３の摺動部と摺動する第３のガイド部を有し、該第３の摺動部は前記紙間調整部材の複数の調整位置に応じた独立した複数の摺動部からなることを特徴とする。
【００１０】
（２）上記（１）に記載の記録装置において、
前記第３の摺動部のうち、少なくとも一つの摺動部は前記紙間調整部材に設けられ、他の少なくとも一つの摺動部は前記キャリッジに設けられていることを特徴とする。
【００１１】
（３）上記（１）又は（２）に記載の記録装置において、
前記第３の摺動部が、前記キャップにより前記記録ヘッドを保護するキャッピング動作時に、前記キャップ付勢部材の付勢力に抗して、前記記録ヘッドおよび前記キャリッジを支えることを特徴とする。
【００１２】
（４）上記（１）乃至（３）いずれかに記載の記録装置において、
前記キャリッジ主走査方向の前記非記録領域に、前記キャリッジを前記主走査方向にガイドし得る前記第３のガイド部と異なる第４のガイド部を有し、前記キャリッジに前記第４のガイド部と摺動する第３の摺動部と異なる第４の摺動部を有し、該第４の摺動部が、前記キャップにより前記記録ヘッドを保護するキャッピング動作時に、前記キャップ付勢部材の付勢力に抗して、前記記録ヘッドおよび前記キャリッジを支えることを特徴とする。
【００１３】
（５）上記（１）乃至（４）いずれかに記載の記録装置において、
前記キャップホルダは、記録装置本体側のカム面に沿って移動可能なキャップスライダに保持され、前記キャップスライダは前記キャリッジの主走査方向への移動により、前記記録ヘッドに対し前記キャッピング動作を行うことを特徴とする。
【００１４】
（６）上記（５）に記載の記録装置において、
前記録ヘッドの吐出口面を拭掃するワイパーを有するワイピング手段を有し、前記ワイピング手段を前記キャリッジに対して付勢し得るワイピング手段付勢部材を有し、前記ワイピング手段は前記記録ヘッドの吐出口面に対し略垂直方向に揺動可能に前記キャップスライダに保持されていることを特徴とする。
【００１５】
（７）上記（５）又は（６）に記載の記録装置において、
前記キャリッジの主走査方向の移動による前記キャッピング動作において、前記キャップ付勢部材の前記付勢力、および前記ワイピング手段付勢部材の前記付勢力に抗して前記キャリッジの姿勢を確定する摺動部が、前記第３の摺動部から前記第４の摺動部へと移行することを特徴とする。
【００１６】
（８）上記（１）乃至（７）いずれかに記載の記録装置において、
前記キャリッジ主走査方向の前記非記録領域では、前記第１のガイド部が前記紙間調整部材の前記第１の摺動部から離間することを特徴とする。
【００１７】
（９）上記（１）乃至（８）いずれかに記載の記録装置において、
前記キャリッジ主走査方向の前記非記録領域において、前記第４のガイド部と前記キャリッジの前記第４の摺動部により確定する前記キャリッジの姿勢が、
前記記録領域における前記記録ヘッドの吐出口面と前記被記録媒体との前記距離が最も小さいときの前記キャリッジの姿勢とほぼ同一であることを特徴とする。
【００１８】
（１０）上記（１）乃至（９）いずれかに記載の記録装置において、
前記第４のガイド部は、前記紙間調整部材により確定する前記キャリッジの姿勢によらず、前記キャリッジ主走査方向の前記非記録領域における前記キャリッジの姿勢が一定となるカム形状を有することを特徴とする。
【００１９】
（１１）上記（１）乃至（１０）いずれかに記載の記録装置において、
前記キャリッジが前記第２のガイド部を中心に回動可能に設けられていることを特徴とする。
【００２０】
（１２）上記（１）乃至（１１）いずれかに記載の記録装置において、
前記紙間調整部材の前記第１の摺動部は、前記キャリッジおよび前記記録ヘッドの自重によって前記第１のガイド部に当接することを特徴とする。
【００２１】
（１３）上記（１）乃至（１２）いずれかに記載の記録装置において、
前記第１のガイド部および前記第３のガイド部は、板状のレールの表裏であることを特徴とする。
【００２２】
（１４）上記（１）乃至（１３）いずれかに記載の記録装置において、
前記第１のガイド部および前記第３のガイド部は、本体シャーシと一体に形成されていることを特徴とする。
【００２３】
（１５）上記（１）乃至（１４）いずれかに記載の記録装置において、
前記第４のガイド部は、本体シャーシと一体に形成されていることを特徴とする。
【発明の効果】
【００２４】
即ち、上記構成を有する本発明によれば、
被記録媒体に画像を形成する記録ヘッドと、前記記録ヘッドを搭載し主走査方向に往復移動させるキャリッジと、前記キャリッジを前記主走査方向にガイドする第１のガイド部および第２のガイド部と、前記被記録媒体の厚みに応じて前記キャリッジの姿勢および前記記録ヘッドの吐出口面と前記被記録媒体との距離を変化させる紙間調整部材と、前記紙間調整部材に第１のガイド部と前記キャリッジ主走査方向の記録領域で摺動する第１の摺動部と、
前記キャリッジ主走査方向の非記録領域に前記記録ヘッドの吐出口を保護するキャップと、前記キャップを搭載するキャップホルダと、前記キャップを前記記録ヘッドに対して圧接し得るキャップ付勢部材と、
を有する記録装置において、
前記紙間調整部材の第１の摺動部と前記第１のガイド部を挟んで対向する第３の摺動部を有し、該第３の摺動部と摺動する第３のガイド部を有し、該第３の摺動部は前記紙間調整部材の複数の調整位置に応じた独立した複数の摺動部からなることを特徴とするため、
紙間調整部材の調整位置による影響を最小限にし、キャッピング動作時のキャリッジの姿勢を安定させ、キャリッジモータにかかる負荷トルクを軽減し、キャリッジモータのコストダウンをし得る記録装置を提供することができる。
【発明を実施するための最良の形態】
【００２５】
以下、本発明の実施の形態について図面を参照して説明する。なお、各図面を通して同一符号は同一又は対応部分を示すものである。
【実施例１】
【００２６】
図１は本発明を適用したインクジェット記録装置の一実施例を示す模式的斜視図である。図１において、図示のインクジェット記録装置には、記録用紙等の被記録材を記録装置本体内へ供給するための給紙部２０１と、記録装置本体内（記録部等）を通して被記録材を紙送りするための搬送部２０２と、画像情報に基づいて被記録材に画像（文字や記号等も含む）を記録していく記録機構部（キャリッジユニット）２０３と、記録機構部（キャリッジユニット）２０３によって形成される画像品位を維持するためのクリーニング機構部（回復機構部）２０４が設けられている。
【００２７】
給紙部２０１に積載された記録用紙等の被記録材は、給紙モータにより駆動される給紙ローラによって１枚ずつ分離されて送り出され、前記搬送部２０２へ送り込まれる。この搬送部２０２へ送り込まれた被記録材は、搬送モータによって駆動される搬送ローラ２２１及び該搬送ローラに押圧されたピンチローラ２２２による摩擦搬送力によって記録部を通して搬送され、該記録部で紙送り（ピッチ搬送）されながら前記記録機構部（キャリッジユニット）２０３によって画像（文字や記号等も含む）を記録される。
【００２８】
記録された被記録材は、前記搬送ローラ２２１と連動して駆動される排紙ローラ２２３及び該排紙ローラと協働する拍車の間に挟持されことによる搬送力によって装置本体外へ排出される。
【００２９】
前記記録機構部（キャリッジユニット）２０３は、装置本体内部で主走査方向に往復移動可能に案内支持されたキャリッジ６及び記録手段としての記録ヘッド３などによって構成されている。すなわち、記録ヘッド３を搭載したキャリッジ６は装置本体に設置されたガイドレールに沿って往復移動可能に案内支持されており、該キャリッジ６に対してはキャリッジモータ２４０の駆動力がキャリッジベルト２２５を介して伝達され、該キャリッジ６は該キャリッジモータ２４０の駆動力によって前記ガイドレールに沿って往復移動させられる。キャリッジユニット２０３はＤＣモータであり、キャリッジユニット２０３に備えられたエンコーダセンサ（不図示）がコードストリップ２３０のスリットをセンシングすることによりキャリッジユニット２０３の位置および速度等を制御している。そして、前記キャリッジ６の往復移動（主走査）に同期して行われる記録ヘッド３の記録動作と被記録材の所定ピッチごとの搬送送り（副走査）とを繰り返すことにより被記録材全体の記録が行われる。
【００３０】
前記回復機構部（クリーニング機構部）２０４は、インクジェット記録装置における記録ヘッド（インクジェットヘッド）３の目詰まり等を解消することで記録品位を正常（良好）な状態に維持回復するためのものであり、後述するように、吐出口からインクを吸引又は吐出させるためのポンプ手段、吐出口を覆うためのキャップ手段、並びに吐出口面を拭き取り清掃するためのワイピング手段などにより構成されている。
【００３１】
図２（ａ），（ｂ）は記録ヘッド３の斜視図であり、本実施例における記録ヘッド３の吐出口面８１には、カラー（例えばシアン、マゼンタ、イエロー）吐出口列３ｃとブラック吐出口列３ｄが形成されている。
【００３２】
図３は本発明に於けるキャップスライダ７にキャップ１や、ブレードホルダ１８などを組み込んだ状態を示す上方斜視図であり、図４（ａ），（ｂ）はブレードホルダ１８を示す斜視図である。
【００３３】
図３において、キャップ１はキャップホルダ２に固定され、図６に示すキャップばね４によってキャップスライダ７に対し上下移動可能な状態に保持されている。
【００３４】
また、前記キャップホルダ２には吸引チューブ１４が接続されており、これらのチューブは負圧発生手段としてのポンプ機構部（不図示）に接続されている。従って、キャップ１で記録ヘッド３をキャッピングした状態で、前記ポンプ機構部を作動させることにより、該チューブ１４を通してキャップ１内を負圧状態にし、それによって記録ヘッド３の吐出口からインクを吸引できる（吸い出すことができる）ように構成されている。
【００３５】
キャップスライダ７の一端にはブレードホルダ１８が図４に示すブレードホルダばね２１によって上方に付勢された状態で保持され、且つ一端をキャップスライダに固定されたブレードホルダスライドばね２２によって、ワイパーブレード８，９の長手方向へ変位可能な状態に保持されている。
【００３６】
なお、前記ブレードホルダ１８には、カラー用ワイパーブレード８と、ブラック用ワイパーブレード９が、ブレードスペーサ１９を介して、ブレードストッパ２０によりブレードホルダ７へ位置決め固定されている。
【００３７】
キャップスライダ７は図６に示す通り、記録装置本体のベース部１３とスライダばね１５によって接続（連結）されている。また、キャップスライダ７の側面の４箇所には、棒状を成して突出する突出部（スライダ軸部）７ｂが設けられており、これらの突出部７ｂはベース部１３上に設けられたスライダ制御用のカム面１３ａ、１３ｂの上に載置されている（当接している）。
【００３８】
つまり、キャップスライダ７は、前記スライダばね１５によって前記各突出部（スライダ軸部）７ｂを前記ベース１３上のカム面１３ａ、１３ｂに当接させた状態で、該カム面１３ａ、１３ｂに沿って上下位置を制御されながらキャリッジ移動方向に移動可能に装着されている。
【００３９】
なお、前記４箇所の突出部（スライダ軸部）７ｂの一部の突出部（図示の例では被記録材搬送方向上流側の２箇所の突出部）の先端部には、前記ベース部のカム面１３ａを形成するリブ部を挟み込むことによりキャップスライダ７の位置決めを行うための凹部（溝部）が形成されている。
【００４０】
キャップスライダ７には、クリーニング機構部２０４へ進入してきたキャリッジ６又は記録ヘッド３が当接する突き当て部７ａが設けられている。つまり、キャリッジ６がクリーニング機構部２０４へ移動してきて該キャリッジ６の側面が前記突き当て部７ａに当接すると、該キャリッジ６がクリーニング機構部へ進入するのに追従してキャップスライダ７も同様に移動することになる。
【００４１】
そして、キャップスライダ７には、前記４箇所の突出部（スライダ軸部）７ｂの１つに対してキャリッジ６の主走査方向にスライド可能に組み込まれたロックレバー１６が装着されている。
【００４２】
このロックレバー１６の端部１６ｂは、図６に示すように、ロックレバーばね１７によって記録装置のベース部１３に接続（連結）されている。
【００４３】
さらに、記録装置のベース部１３には、図６に示すように、前記ロックレバー１６用のカム部１３ｂが設けられている。このカム部１３ｂはロックレバー１６のカム面１６ｂと当接（係合）可能なものである。
【００４４】
こうして、前記ロックレバー１６は、キャップスライダ７と記録装置のベース部１３との間に挟み込まれる状態で保持されている。
【００４５】
図７（ａ）、（ｂ）はキャリッジユニット２０３の模式的斜視図である。キャリッジユニット２０３は、記録ヘッドを装着するキャリッジ６、記録媒体の厚みに応じて記録ヘッドの吐出口面と記録媒体の距離（紙間）を変化させる紙間調整レバー３３、キャリッジカバー３０、記録ヘッド３をキャリッジ６に固定するセットレバー３２等からなる。
【００４６】
また前記キャリッジ６、キャリッジカバー３０には前記ブレードホルダ１８と当接して作用する摺動面６Ａ、３０１がキャリッジ６の主走査方向の幅全域に渡って、それぞれ設けられている。
【００４７】
図８（ａ）、（ｂ）はキャリッジ６の詳細を示す模式的斜視図である。キャリッジ６の上面には、記録ヘッド３の上部のリブ３ｅに掛止して該記録ヘッドを固定するための板バネ３１が取り付けられている。すなわち、セットレバー３２の操作によって該板バネ３１を退避方向へ弾性変形させ、記録ヘッド３をキャリッジ６に引き込んだ後、該板バネ３１を解放して記録ヘッド３のリブ３ｅに掛止することにより、記録ヘッド３をキャリッジ６に固定するように構成されている。
【００４８】
キャリッジ６に形成された面６１は記録ヘッド３の上部に設けられた記録媒体搬送方向（前後方向）の位置決め面（突き当て面）と圧接する面であり、キャリッジ６に形成された面６２は記録ヘッド３の下部に設けられた鉛直方向（上下方向）の位置決め面（突き当て面）と圧接する面であり、キャリッジ６に形成された面６３は記録ヘッド３の搬送方向（前後方向）の位置決め面（突き当て面）と圧接する面であり、キャリッジ６に形成された面６４は記録ヘッド３の主走査方向（左右方向）の位置決め面（突き当て面）と圧接する面である。また、キャリッジ６の左右に形成された穴６５は、セットレバー３２の左右のボス部を回動可能に軸支するための軸受穴であり、キャリッジ６の左右に形成された穴６６はキャリッジカバー３０の左右のボス部３０Ｄと嵌合して該キャリッジカバー３０をキャリッジ６に固定するためのカバー取り付け穴である。
【００４９】
キャリッジ６の上部には紙間調整レバー３３をスライド可能に装着するための溝カム部６７があり、紙間調整レバー３３が溝カム部６７に挿入され、キャリッジカバー３０をキャリッジ６にかぶせることにより、摺動可能に保持される。図７（ａ）に示すように、紙間調整レバー３３は矢印Ｘ方向にスライド可能である。
【００５０】
また、キャリッジ６の上部の一部には、キャリッジ主走査方向の非記録領域において、シャーシ２１０と一体に構成された第４ガイドレール２１３と摺動可能な摺動ボス６８、および、同様にシャーシ２１０と一体に構成された第３のガイドレールとなる第３ガイド面２１１ｂと後述する紙間ポジションＰＢのときに摺動可能な第３摺動部６９が設けられている。
【００５１】
図９はキャリッジカバー３０の模式的斜視図である。キャリッジカバー３０は、後述の紙間調整レバー３３の操作レバー部３３１を覗く穴３０Ａが設けられている。この穴３０Ｄの一部には、紙間調整レバー係り止め部３０Ａおよび３０Ｂが設けられており、後述の紙間調整レバー３３のストッパー部３３２が入り込むように構成されている。
【００５２】
図１０（ａ）〜（ｃ）は紙間調整レバー３３の模式図である。紙間調整レバー３３は、操作レバー部３３１、ストッパー部３３２、第１ガイドレール２１１との摺動部である第１の摺動部３３３、位置決めボス３３４、および、３３５、ガイドボス３３６、および、３３７、位置決め面３３８、第３ガイド面２１１ｂと後述する紙間ポジションＰＡのときに摺動可能な第３摺動部３３９を備える。
【００５３】
図１１に示すように、ストッパー部３３２は、キャリッジカバー３０の紙間調整レバー係り止め部３０Ａおよび３０Ｂに入り込むことで、紙間調整レバー３３の矢印Ｖ方向へのスライドを規制している。ストッパー部３３２は、キャリッジ６および記録ヘッド３の自重によりキャリッジカバー３０の紙間調整レバーの係り止め部３０Ａおよび３０Ｂに対し食い込む方向に構成されており、紙間調整レバー３３の矢印Ｖ方向へのスライドを確実に防止している。図１１中、紙間調整レバー３３Ａは紙間ポジションＰＡ（普通紙などの薄紙ポジション）のときの紙間調整レバー３３のセットされる位置であり、紙間調整レバー３３Ｂは紙間ポジションＰＢ（封筒などの厚紙ポジション）のときの紙間調整レバー３３のセットされる位置である。また、紙間調整レバー３３Ｃは、紙間ポジションＰＡと紙間ポジションＰＢの間に位置し、紙間調整レバー３３のストッパー部３３２がキャリッジカバー３０のガイド部３０Ｃにより押し下げられるように構成されている。
【００５４】
紙間ポジションＰＡから紙間ポジションＰＢに動かすとき、紙間調整レバー３３のストッパー部３３２は、キャリッジカバー３０の紙間調整レバー係り止め部部３０Ａからキャリッジカバー３０のガイド部３０Ｃに向かう斜面に沿って図中矢印Ｖ方向に移動する。紙間調整レバー３３のストッパー部３３２はキャリッジカバー３０のガイド部３０Ｃに沿って移動し、キャリッジカバー３０の紙間調整レバー係り止め部部３０Ｂまで移動し、キャリッジ６および記録ヘッド３の自重によりキャリッジカバー３０の紙間調整レバーの係り止め部３０Ａおよび３０Ｂに対し食い込むため、紙間調整レバー３３の矢印Ｘ方向に対して固定される。
【００５５】
位置決めボス３３４、および、３３５はキャリッジ６上部の溝カム部６７と係合し、前述のようにキャリッジ６に対し摺動可能に保持される。
【００５６】
図１２（ａ）、（ｂ）は、キャリッジユニット２０３を含む記録装置の部分断面図である。第１ガイドレール２１１、第２ガイドレール２１２および第４ガイドレール２１３はシャーシ２１０と一体に構成されている。図１２（ａ）、（ｂ）に示すように、キャリッジ６および記録ヘッド３の自重により、位置決め面３３８はキャリッジ６の紙間調整レバー位置決め面６Ｂと当接し、また同時に、第１の摺動部３３３は、シャーシ２１０と一体に構成された第１ガイドレール２１１の第１ガイド面２１１ａと当接することで、キャリッジ６および記録ヘッド３の姿勢を決めている。
【００５７】
また、第１ガイドレール２１１は、第３のガイドレールとして機能する第３ガイド面２１１ｂを備えており、第３ガイド面２１１ｂは、第１ガイドレール２１１において第１ガイド面２１１ａと表裏一体で構成されている。
【００５８】
図１３は溝カム部６７を摺動する紙間調整レバー３３の位置決め摺動ボス３３４，３３５の位置関係を示した模式的断面図である。紙間調整レバー３３を矢印Ｘ方向にスライドさせると、紙間調整レバー３３の摺動ボス３３４、３３５は溝カム部６７に従い移動し、紙間調整レバー３３の第１ガイドレール２１１との摺動部３３３は、キャリッジ６に対して図中Ｙ方向へ相対的に変位する。このため紙間調整レバー３３をスライドさせることにより、第２ガイドレール２１２をおよそ中心としてキャリッジ６が回転し、その結果として、キャリッジ６に搭載された記録ヘッド３の吐出口面８１と記録紙の表面との間隔（紙間距離）を変化させることができる。
【００５９】
図中、溝カム部６７の面６７Ａは、紙間ポジションＰＡ（普通紙などの薄紙ポジション）、面６７Ｂは紙間ポジションＰＢ（封筒などの厚紙ポジション）にそれぞれ対応しており、紙間調整レバー３３の位置決め摺動ボス３３４、３３５が各面６７Ａおよび面６７Ｂに当接している状態で、前述の紙間調整レバー３３のストッパー部３３２がキャリッジカバー３０の紙間調整レバー係り止め部３０Ａおよび３０Ｂに入り込むようになっている。
【００６０】
図１４（ａ）、（ｂ）はキャリッジ６の主走査方向の非記録領域におけるシャーシ２１０と一体となっている第１ガイドレール２１１近傍を示したものである。キャリッジ６の主走査方向の非記録領域には本体ベース１３に前述のクリーニング機構２０４が設けられている。また、図１５（ａ）、（ｂ）および図１６（ａ）、（ｂ）は、それぞれ紙間ポジションＡ（普通紙などの薄紙ポジション）および紙間ポジションＢ（封筒などの厚紙ポジション）での、キャッピング動作における、紙間調整レバー３３の第３摺動部３３９あるいはキャリッジ６の第３摺動部６９、紙間調整レバー３３の摺動部３３３およびキャリッジ６上部の摺動ボス６８と、シャーシ２１０の関係を示した模式的断面図である。
【００６１】
非記録領域の第１ガイドレール２１１は、キャリッジ６が進入してきたとき、紙間調整レバー３３の摺動部３３３から離間する方向に避けるように、第１ガイドレール２１１の逃げ部２１１ｃが構成されている。また、この第１ガイドレール２１１の逃げ部２１１ｃと紙間調整レバー３３の摺動部３３３を挟んで対向する位置には、シャーシ２１０と一体で第４ガイドレール２１３が設けられている。第４ガイドレール２１３は、キャリッジ６上部の摺動ボス６８と摺動可能な構成となっている。共にシャーシ２１０と一体で構成された第１ガイドレール２１１の逃げ部２１１ｃと第４ガイドレール２１３は、紙間調整レバー３３の摺動部３３３とキャリッジ６上部の摺動ボス６８とが、同時に第１ガイドレール２１１の逃げ部２１１ｃあるいは第４ガイドレール２１３と当接しないように、所定のクリアランスを持って配設されている。
【００６２】
また、このクリアランスは、紙間調整レバーが紙間ポジションＡ（普通紙などの薄紙ポジション）、あるいは紙間ポジションＢ（封筒などの厚紙ポジション）のどちらの状態でも、紙間調整レバー３３の摺動部３３３とキャリッジ６上部の摺動ボス６８とが、第１ガイドレール２１１の逃げ部２１１ｃおよび第４ガイドレール２１３に、同時に当接しないように構成されている。
【００６３】
次に、キャリッジユニット２０３が非記録領域に移動し、クリーニング機構２０４にキャリッジ６および記録ヘッド３が進入した際の、キャッピング動作と、キャリッジ６の姿勢に関して述べる。
【００６４】
キャリッジユニット２０３が非記録領域に移動すると、前述のようにクリーニング機構部２０４にキャリッジ６が進入するため、キャリッジ６がキャップスライダ７の突き当て部７ａに当接する。さらにキャリッジユニット２０３が移動を続けると、キャリッジ６の動作に連動して、キャップスライダ７も図６中矢印Ｕ方向へ移動する。このとき、キャップスライダ７はキャップスライダ制御用カム面１３ｂ、１３ｃに沿って、徐々に記録ヘッド３に向かって図中矢印Ｗ方向へも移動する。キャップスライダ７には、ブレードホルダ１８が設けられているため、ブレードホルダ１８はキャリッジ６およびキャリッジカバー３０に対し、徐々に近づいていく。
【００６５】
キャリッジ６の移動が進み、ブレードホルダ１８の各摺動面１８ａ〜ｄがキャリッジ６の摺動面６Ａ、およびキャリッジカバー３０の各摺動面３０１に当接する。ブレードホルダ１８がキャリッジユニット２０３に当接すると、ブレードホルダ１８はブレードホルダバネ２１から反力を受けるため、ブレードホルダ１８はキャリッジユニット２０３を押し上げる方向（図６中Ｗ方向）に付勢する。
【００６６】
キャリッジユニット２０３はブレードホルダ１８から付勢力を受け、紙間が広くなる方向へ第２ガイドレール２１２をおよそ中心として回動する。
【００６７】
このとき紙間設定が薄紙ポジションであれば、紙間調整レバー３３は紙間ポジションＰＡにあり、図１５（ａ）に示すように、紙間調整レバー３３の第３摺動部３３９がシャーシ２１０と一体で構成されている第３ガイド面２１１ｂに当接する。また、紙間設定が厚紙ポジションであれば、紙間調整レバー３３は紙間ポジションＰＢにあり、図１６（ａ）に示すように、キャリッジ６の第３摺動部６９が第３ガイド面２１１ｂに当接する。
【００６８】
ブレードホルダ１８から付勢力を受けながらキャリッジユニット２０３の移動するとき、紙間レバー３３の第３摺動部３３９あるいはキャリッジ６の第３摺動部６９が第３ガイド面２１１ｂと摺動することで、姿勢を安定化させている。
【００６９】
さらにキャリッジユニット２０３の移動が進むと、キャップスライダ７にはキャップホルダ２を介してキャップ１も設けられているため、記録ヘッド３の吐出口面８１に対し、キャップ１が当接する。キャップ１を搭載したキャップホルダ２はキャップバネ４から反力を受けるため、キャップ１は記録ヘッド３を押し上げる方向に圧接するが、このとき、キャリッジユニット２０３は紙間レバー３３の第３摺動部３３９あるいはキャリッジ６の第３摺動部６９と第３ガイド面２１１ｂとの当接により、安定した姿勢を保っている。
【００７０】
さらにキャリッジユニット２０３の移動が進むと、紙間調整レバー３３の摺動部３３３が第１ガイドレール２１１の逃げ部２１１ｃに進入し、キャリッジ６上部の摺動ボス６８が第４ガイドレール２１３と当接する。第４ガイドレール２１３の一部はカム面になっており、キャリッジ６上部の摺動ボス６８が第４ガイドレール２１３に沿って摺動することで、ブレードホルダ１８およびキャップ１の付勢力に抗して、キャリッジユニット２０３はやや紙間が狭くなる方向へ第２ガイドレール２１２をおよそ中心として回動し、やがてキャリッジユニット２０３の姿勢が一定となる位置まで到達し、図１５（ｂ）および図１６（ｂ）に示すように、キャリッジユニット２０３はキャッピング位置に到達し、キャッピング動作が完了する。
【００７１】
図１５（ｂ）および図１６（ｂ）は、紙間ポジションＡ（普通紙などの薄紙ポジション）および紙間ポジションＢ（封筒などの厚紙ポジション）での、キャッピング状態における、紙間調整レバー３３の摺動部３３３およびキャリッジ６上部の摺動ボス６８とシャーシ２１０の関係を示した図であるが、各図に示すように、キャッピング位置でのキャリッジ６の姿勢は紙間調整レバー３３３のポジションによらず、ブレードホルダ１８およびキャップ１の付勢力をキャリッジ６上部の摺動ボス６８で支持する構成となっているため、常に一定となっている。このときのキャリッジ６の姿勢は、記録範囲における紙間調整レバー３３が紙間ポジションＡ（普通紙などの薄紙ポジション）の状態とほぼ同じ姿勢であり、記録ヘッドの吐出口面はプラテン２２４（あるいは記録媒体）とほぼ平行である。
【００７２】
上述のように本実施例によれば、クリーニング機構２０４に進入したキャリッジユニット２０３がブレードホルダ１８およびキャップ１から付勢力を受け、紙間が広くなる方向へ第２ガイドレール２１２をおよそ中心として回動する際、キャリッジユニット２０３に備えられている紙間レバー３３の第３摺動部３３９あるいはキャリッジ６の第３摺動部６９が第１ガイドレール２１１において第１ガイド面２１１ａと表裏一体で構成されている第３ガイド面２１１ｂと摺動することにより、紙間調整レバー位置による影響を最小限にし、キャッピング動作時のキャリッジユニット２０３の姿勢を安定させ、キャリッジモータ２４０にかかる負荷トルクを軽減し、キャリッジモータ２４０のコストダウンをし得る記録装置を提供することができる。
【００７３】
また、キャリッジユニット２４０はＤＣモータであり、キャリッジユニット２０３に備えられたエンコーダセンサ（不図示）がコードストリップ２３０のスリットをセンシングすることによりキャリッジユニット２０３の位置および速度等を制御する構成であるため、クリーニング機構部２０４に進入したキャリッジユニット２０３の姿勢が安定化することにより、エンコーダセンサのセンシング性能を安定化させることができる。
【図面の簡単な説明】
【００７４】
【図１】本発明の第１実施例における記録装置の斜視図
【図２】（ａ），（ｂ）  本発明の第１実施例における記録ヘッドの斜視図
【図３】本発明の第１実施例におけるクリーニング機構部の上方斜視図
【図４】（ａ），（ｂ）  本発明の第１実施例におけるブレードホルダ部の側面斜視図
【図５】本発明の第１実施例におけるキャップスライダ部とキャリッジとの位置関係を示した側面図
【図６】本発明の第１実施例におけるキャップスライダ部とキャリッジとの位置関係を示した記録装置正面側から見た概略図
【図７（ａ）】本発明の第１実施例におけるキャリッジユニットの模式的斜視図
【図７（ｂ）】本発明の第１実施例におけるキャリッジユニットの模式的斜視図
【図８（ａ）】本発明の第１実施例におけるキャリッジの模式的斜視図
【図８（ｂ）】本発明の第１実施例におけるキャリッジの模式的斜視図
【図９】本発明の第１実施例におけるキャリッジカバーの模式的斜視図
【図１０】（ａ），（ｂ），（ｃ）  本発明の第１実施例における紙間調整レバーの模式図
【図１１】本発明の第１実施例における紙間調整レバーとキャリッジカバーの係り止め部の関係を示した模式図
【図１２（ａ）】本発明の第１実施例におけるキャリッジおよび紙間調整レバーの位置関係を示した側断面図および部分断面詳細図
【図１２（ｂ）】本発明の第１実施例におけるキャリッジおよび紙間調整レバーの位置関係を示した側断面図および部分断面詳細図
【図１３】本発明の第１実施例における紙間調整レバーおよびキャリッジの溝カム部近傍における部分断面詳細図
【図１４（ａ）】本発明の第１実施例における非記録領域における第１ガイドレール近傍の部分詳細図
【図１４（ｂ）】本発明の第１実施例における非記録領域における第１ガイドレール近傍の部分詳細図
【図１５（ａ）】本発明の第１実施例における紙間ポジションＡ（薄紙ポジション）での紙間調整レバー、キャリッジおよびシャーシの位置関係を示した部分詳細図
【図１５（ｂ）】本発明の第１実施例における紙間ポジションＡ（薄紙ポジション）での紙間調整レバー、キャリッジおよびシャーシの位置関係を示した部分詳細図
【図１６（ａ）】本発明の第１実施例における紙間ポジションＢ（厚紙ポジション）での紙間調整レバー、キャリッジおよびシャーシの位置関係を示した部分詳細図
【図１６（ｂ）】本発明の第１実施例における紙間ポジションＢ（厚紙ポジション）での紙間調整レバー、キャリッジおよびシャーシの位置関係を示した部分詳細図
【符号の説明】
【００７５】
１          キャップ
２          キャップホルダ
３          記録ヘッド（記録手段）
３ａ        嵌合穴（溝）
３ｃ        カラー吐出口列
３ｄ        ブラック吐出口列
４          キャップばね
６          キャリッジ
６１，６２，６３，６４    記録ヘッド位置決め面
６７        溝カム部
６８        摺動ボス部
６９        第３摺動面
６Ａ        ブレードホルダ１８との摺動面
６Ｂ        位置決め面
７          キャップスライダ
７ａ        突き当て部
７ｂ        突出部（スライダ軸部）
７ｃ        嵌合ピン
８、９      ワイパーブレード
１１        ブレードストッパ
１２        ロックレバー
１３        記録装置側のベース部
１３ａ      カム部
１３ｂ      カム面
１４        吸引チューブ
１５        キャップスライダばね
１６        ロックレバー
１７        ロックレバーばね
１８        ブレードホルダ
１９        ブレードスペーサ
２０        ブレードストッパ
２１        ブレードホルダばね
２２        ブレードホルダスライドばね
３０        キャリッジカバー
３０Ａ      係り止め部Ａ（紙間ポジションＡ用）
３０Ｂ      係り止め部Ｂ（紙間ポジションＢ用）
３０１      ブレードホルダ１８との摺動部
３１        板バネ
３２        セットレバー
３３        紙間調整レバー
３３１      操作レバー部
３３２      ストッパー部
３３３      摺動部
３３４      位置決めボス
３３５      位置決めボス
３３６      ガイドボス
３３７      ガイドボス
３３８      位置決め面
３３９      第３摺動面
８１        吐出口面
２０１      給紙部
２０２      搬送部
２０３      記録機構部
２０４      クリーニング機構部（回復機構部）
２１０      シャーシ
２１１      第１ガイドレール
２１１ａ    第１ガイド面
２１１ｂ    第３ガイド面
２１２      第２ガイドレール
２１３      第４ガイドレール
２２５      キャリッジベルト
２３０      コードストリップ
２４０      キャリッジモータ
【図１】
2006043893.tif 000003
【図２】
2006043893.tif 000004
【図３】
2006043893.tif 000005
【図４】
2006043893.tif 000006
【図５】
2006043893.tif 000007
【図６】
2006043893.tif 000008
【図７（ａ）】
2006043893.tif 000009
【図７（ｂ）】
2006043893.tif 000010
【図８（ａ）】
2006043893.tif 000011
【図８（ｂ）】
2006043893.tif 000012
【図９】
2006043893.tif 000013
【図１０】
2006043893.tif 000014
【図１１】
2006043893.tif 000015
【図１２（ａ）】
2006043893.tif 000016
【図１２（ｂ）】
2006043893.tif 000017
【図１３】
2006043893.tif 000018
【図１４（ａ）】
2006043893.tif 000019
【図１４（ｂ）】
2006043893.tif 000020
【図１５（ａ）】
2006043893.tif 000021
【図１５（ｂ）】
2006043893.tif 000022
【図１６（ａ）】
2006043893.tif 000023
【図１６（ｂ）】
2006043893.tif 000024